(57)【要約】      （修正有）【課題】柄の付いたブラシ等の清掃具に汎用的に装着して使用する清掃具補助具に関し、握力が小さくても使用できる清掃具補助具を提供する。【解決手段】柄の先端にブラシ等の清掃具本体を備えこの柄の他端に取り付ける清掃具補助具１０であって、この清掃具補助具は清掃具取付部と、この清掃具取付部に連結された腕取付部とから構成され、この清掃具取付部は清掃具側ベルト２１と、この清掃具側ベルトに設けられた清掃具側第一の結合具と清掃具側第二の結合具とから構成され、この腕側取付部は腕側ベルト３１と、この腕側ベルトに設けられた腕側第一の結合具３２と腕側第二の結合具３３とから構成され、この清掃具取付部は清掃具の柄の他端近傍を巻回して清掃具側第一の結合具と清掃具側第二の結合具を結合して清掃具に取り付けられ、この腕取付部は腕を巻回して腕側第一の結合具と腕側第二の結合具を結合して腕に取り付けられる清掃具補助具である。【選択図】図４
2017121289.tif 000002
【特許請求の範囲】
【請求項１】
柄の先端にブラシ等の清掃具本体を備えこの柄の他の端部に取り付ける清掃具補助具であって、この清掃具補助具は清掃具取付部と、この清掃具取付部に連結された腕取付部とから構成され、この清掃具取付部は清掃具側ベルトと、この清掃具側ベルトに設けられた清掃具側第一の結合具と清掃具側第二の結合具とから構成され、この腕側取付部は腕側ベルトと、この腕側ベルトに設けられた腕側第一の結合具と腕側第二の結合具とから構成され、この清掃具取付部は清掃具の柄の他の端部近傍を巻回して清掃具側第一の結合具と清掃具側第二の結合具を結合して清掃具に取り付けられ、この腕取付部は腕を巻回して腕側第一の結合具と腕側第二の結合具を結合して腕に取り付けられることを特徴とする清掃具補助具。
【請求項２】
請求項１の清掃具側第一の結合具と清掃具側第二の結合具は鈎と環とから構成される面ファスナーであることを特徴とする清掃具補助具。
【請求項３】
請求項１又は請求項２の腕側第一の結合具と腕側第二の結合具は鈎と環とから構成される面ファスナーであることを特徴とする清掃具補助具。
【請求項４】
請求項１乃至請求項３の何れかの清掃具補助具において、清掃具の端部の孔に清掃具取付部を通して清掃具側第一の結合具と清掃具側第二の結合具を結合して清掃具補助具を清掃具に取り付けることを特徴とする清掃具補助具。
【発明の詳細な説明】
【技術分野】
【０００１】
この発明は、バスタブや高い壁等、手の届き難い所も清掃できるよう柄の付いたブラシ等の清掃具に装着して使用する清掃具補助具に関する。
【背景技術】
【０００２】
従来、柄の付いたブラシ等の清掃具、特に長い柄の場合は、握り手に大きなモーメントがかかり、強い力で握らないとしっかり洗えないという問題があった。この為、特に主婦や握力の弱い障害者にとっては、大変使い難かった。
【先行技術文献】
【特許文献】
【０００３】
【特許文献１】実開平７−４３３０６
【特許文献２】特開２００２−２２３８４９
【特許文献３】特開２０１２−６６０４１
【発明の概要】
【発明が解決しようとする課題】
【０００４】
特許文献１の技術では、ブラシ等の柄1の端部に腕を通す環状体2が設けられ、手に掛かる力を軽減するようにしている。この環状体2は柄1に対し専用の部品として構成されている為、清掃用ブラシが損耗して買い換えるとき、環状体2も一緒に廃棄しなければならず、資源の無駄になっていた。
【０００５】
特許文献２の技術でも、グリップ２にバネ３を介して腕を通す腕掛け４が設けられ、手に掛かる力を軽減するようにしていた。この技術においても、これらの構成品は専用品であるため、上記と同様の問題があった。
特許文献３の技術でも、柄３ｃに腕を通す腕支持部３ｄが一体に構成されており、上記と同様の問題があった。
【０００６】
上記の特許文献の技術においては、腕を支持する腕支持部が柄に一体または固着されているため、腕支持部を必要としない使用者にとっては、これが邪魔になっても取り外しができないという問題もあった。
さらに、この腕支持部は大きく嵩張った剛体であり、商品パッケージがおおきくなり、収納にも不便であった。
【０００７】
又、上記の従来技術では、腕支持部のサイズが固定されており、大多数の使用者が腕支持部に拳を挿入して使用する為には腕支持部のサイズを大きくしなければならず、使用時には腕と腕支持部の間の間隙が大きく開いて、ぐらついてしまう問題もあった。
【課題を解決するための手段】
【０００８】
柄の先端にブラシ等の清掃具本体を備えこの柄の他の端部に取り付ける清掃具補助具であって、この清掃具補助具は清掃具取付部と、この清掃具取付部に連結された腕取付部とから構成され、この清掃具取付部は清掃具側ベルトと、この清掃具側ベルトに設けられた清掃具側第一の結合具と清掃具側第二の結合具とから構成され、この腕側取付部は腕側ベルトと、この腕側ベルトに設けられた腕側第一の結合具と腕側第二の結合具とから構成され、この清掃具取付部は清掃具の柄の他の端部近傍を巻回して清掃具側第一の結合具と清掃具側第二の結合具を結合して清掃具に取り付けられ、この腕取付部は腕の手首近傍を巻回して腕側第一の結合具と腕側第二の結合具を結合して腕に取り付けられることを特徴とする清掃具補助具である。
【発明の効果】
【０００９】
上記の問題点を解決し、種々の形状の清掃具に汎用的に取り付けられる清掃具補助具を提供することができる。
【図面の簡単な説明】
【００１０】
【図１】第一の実施例の清掃具補助具を清掃具に取り付けた状態を示す斜視図である。
【図２】第一の実施例の清掃具補助具を展開した状態を示す斜視図である。
【図３】第一の実施例の清掃具補助具を清掃具に取り付ける方法を示す斜視図である。
【図４】第一の実施例の清掃具補助具を示す図１のAA断面図である。
【図５】第一の実施例の清掃具補助具の展開した状態を示す平面図、正面図、底面図、左側面図、右側面図であり、背面図は正面図と対称に表れる。
【図６】第一の実施例の清掃具補助具を装着した状態を示す平面図、正面図、底面図、左側面図、右側面図であり、背面図は正面図と対称に表れる。
【図７】第一の実施例の清掃具補助具を折り畳んだ状態を示す斜視図である。
【図８】第二の実施例の清掃具補助具を展開した状態を示す斜視図である。
【図９】第三の実施例の清掃具補助具を展開した状態を示す斜視図である。
【図１０】小さい孔５４に清掃具取付部２０を取り付ける説明図である。
【発明を実施するための形態】
【００１１】
柄の先端にブラシ等の清掃具本体を備えこの柄の他の端部に取り付ける清掃具補助具であって、この清掃具補助具は清掃具取付部と、この清掃具取付部に連結された腕取付部とから構成され、この清掃具取付部は清掃具側ベルトと、この清掃具側ベルトに設けられた清掃具側第一の結合具と清掃具側第二の結合具とから構成され、この腕側取付部は腕側ベルトと、この腕側ベルトに設けられた腕側第一の結合具と腕側第二の結合具とから構成され、この清掃具取付部は清掃具の柄の他の端部近傍を巻回して清掃具側第一の結合具と清掃具側第二の結合具を結合して清掃具に取り付けられ、この腕取付部は腕の手首近傍を巻回して腕側第一の結合具と腕側第二の結合具を結合して腕に取り付けられることを特徴とする清掃具補助具である。
【００１２】
上記の清掃具側第一の結合具と清掃具側第二の結合具は鈎と環とから構成される面ファスナーであることを特徴とする清掃具補助具である。
上記の腕側第一の結合具と腕側第二の結合具は鈎と環とから構成される面ファスナーであることを特徴とする清掃具補助具である。
上記の何れかの清掃具補助具において、清掃具の端部の孔に清掃具取付部を通して清掃具側第一の結合具と清掃具側第二の結合具を結合して清掃具補助具を清掃具に取り付けることを特徴とする清掃具補助具である。
【実施例】
【００１３】
図１のように、第一の実施例の清掃具補助具１０は、清掃具５０に取り付けられて使用される。清掃具５０は、柄５２の先端にブラシ等の清掃具本体５１を備え、柄５２の他の端部５３に清掃具補助具１０が取り付けられる。
図２のように、清掃具補助具１０は、清掃具取付部２０と、清掃具取付部２０に連結された腕取付部３０とから構成される。
【００１４】
清掃具取付部２０は清掃具側ベルト２１と、清掃具側ベルト２１に設けられた清掃具側第一の結合具２２と清掃具側第二の結合具２３とから構成されている。清掃具側第一の結合具２２と清掃具側第二の結合具２３は清掃具側ベルト２１に対し反対側に取り付けられている。腕側取付部３０は腕側ベルト３１と、腕側ベルト３１に設けられた腕側第一の結合具３２と腕側第二の結合具３３とから構成されている。腕側第一の結合具３２と腕側第二の結合具３３は腕側ベルト３１に対して同じ側に取り付けられている。
【００１５】
清掃具側ベルト２１と腕側ベルト３１は、軟質のプラスチック、エラストマー、繊維、皮等、柔軟で可撓性のある材料で一体の帯状に作られる。清掃具側第一の結合具２２と清掃具側第二の結合具２３は、どちらかが鈎の面ファスナーになり、他方が環の面ファスナーの対になるよう構成されている。腕側第一の結合具３２と腕側第二の結合具３３も、どちらかが鈎の面ファスナーになり、他方が環の面ファスナーの対になるよう構成されている。
【００１６】
図３、図４のように、清掃具取付部２０は、汎用の清掃具５０の柄５２の端部５３近傍の孔５４を通して、端部５３を巻回し、清掃具側第一の結合具２２と清掃具側第二の結合具２３を結合して清掃具５０に取り付けられる。
清掃具５０の使用時には、腕取付部３０は腕６０の手首近傍を巻回して腕側第一の結合具３２と腕側第二の結合具３３を結合して腕６０に取り付けられる。ここで手首近傍とは手首直近だけでなく、少し奥まで含むものとする。
【００１７】
市販の清掃具の柄の断面形状は、円形、長円形、角形やこれらの組み合わせた形と様々であり、又サイズも種々あるが、この実施例の清掃具補助具１０は、これらの柄の端部に汎用的に取り付けることができ、主婦や障害者にとっても着脱・操作が容易である。この発明により、ブラシ等清掃具本体が損耗しても、清掃具補助具１０を廃棄することなく継続使用することができる。
【００１８】
この清掃具補助具の発明者は当初、清掃具の端部に清掃具取付部を刀の鞘のように被せ、ネジで固定する構造を考えたが、種々の形状・サイズの柄には対応できず、又、ネジで固定するのは構造・操作が複雑で、主婦や障害者には使用が困難であった。
【００１９】
また、腕取付部３０も使用者の腕のサイズや、使用位置に合わせて、最適な大きさに調整ができる利点がある。従来技術では、概ね腕支持部のサイズが固定されており、腕支持部に拳を挿入する為、腕支持部のサイズを大きくしなければならず、使用時には腕と腕支持部の間に大きく間隙が開いてぐらついてしまう問題があったが、これも解決することができた。
【００２０】
図７のように、不使用時には小さく折り畳むことができ、商品パッケージもコンパクトで、収納にも便利である。
図１０のように、清掃具補助具１０は、柔軟な材料でできているので、孔５４が小さい場合でも折り曲げて挿入が可能である。
図８は第二の実施例の清掃具補助具１０であり、清掃具取付部２０の端部に、挿入しやすくする傾斜した導入部２４と、孔５４に挿入したときの余裕を持たせるための幅狭の首部２５を設けたものである。
【００２１】
図９は第三の実施例の清掃具補助具１０であり、清掃具取付部２０の端部にスリット２６を設け、孔５４が小さい場合でも容易に挿入できるようにしたものである。
【産業上の利用可能性】
【００２２】
この発明の清掃具補助具１０は、スポンジ、ブラシ、モップ等の柄の付いた清掃具に利用が可能である。
【符号の説明】
【００２３】
１０は清掃具補助具
２０は清掃具取付部
２１は清掃具側ベルト
２２は清掃具側第一の結合具
２３は清掃具側第二の結合具
２４は導入部
２５は首部
２６はスリット
３０は腕取付部
３１は腕側ベルト
３２は腕側第一の結合具
３３は腕側第二の結合具
５０は清掃具
５１は清掃具本体
５２は柄
５３は端部
５４は孔
６０は腕
【図１】
2017121289.tif 000003
【図２】
2017121289.tif 000004
【図３】
2017121289.tif 000005
【図４】
2017121289.tif 000006
【図５】
2017121289.tif 000007
【図６】
2017121289.tif 000008
【図７】
2017121289.tif 000009
【図８】
2017121289.tif 000010
【図９】
2017121289.tif 000011
【図１０】
2017121289.tif 000012